(57)【要約】      （修正有）【課題】簡易な構造で、縄跳びを回す力が不十分な子供たちにとっても縄跳びの基本手技の習得を容易にするとともに、通常の縄跳びの構成への移行を円滑にすることができる練習用縄跳びを提供する。【解決手段】練習用縄跳び１０は、所定の長さを有して長く延在する紐部材１１と、この紐部材１１の端部のそれぞれに接続して配設される一対の把持部１２と、を含んで構成される。また、練習用縄跳び１０は、長尺の筒状に形成され、紐部材１１がその内部に挿通される１本のチューブ部材１３をさらに含んで構成される。チューブ部材１３の長さは、紐部材１１よりも短く形成され、チューブ部材１３の可撓性は、紐部材１１の可撓性よりも低く設けられ、チューブ部材１３の内径は、紐部材１１の外径よりも大きく設けられる。【選択図】図１
0003231890.tif 000002
【実用新案登録請求の範囲】
【請求項１】
所定の長さの紐部材と、
前記紐部材の端部のそれぞれに接続して配設される一対の把持部と、
長尺の筒状に形成され、前記紐部材がその内部に挿通される１本のチューブ部材と、を含み、
前記チューブ部材の長さは、前記紐部材よりも短く形成され、
前記チューブ部材の可撓性は、前記紐部材の可撓性よりも低く設けられ、
前記チューブ部材の内径は、前記紐部材の外径よりも大きく設けられる、
練習用縄跳び。
【請求項２】
所定の長さの紐部材と、
前記紐部材の一端部に接続して配設される把持部と、
長尺の筒状に形成され、前記紐部材がその内部に挿通される１本のチューブ部材と、
前記紐部材の他端部に配設され、前記チューブ部材が抜け落ちるのを防ぐ抜け防止部と、を含み、
前記チューブ部材の長さは、前記紐部材よりも短く形成され、
前記チューブ部材の可撓性は、前記紐部材の可撓性よりも低く設けられ、
前記チューブ部材の内径は、前記紐部材の外径よりも大きく設けられる、
練習用縄跳び。
【請求項３】
前記チューブ部材の長さは、６００ｍｍ以上に設けられる、
請求項１に記載の練習用縄跳び。
【請求項４】
前記紐部材の長さは、３５０ｍｍ以上に設けられ、
前記チューブ部材の長さは、１００ｍｍ以上に設けられる、
請求項２に記載の練習用縄跳び。
【請求項５】
前記チューブ部材は、透明または半透明に設けられる、
請求項１〜４のいずれか１つに記載の練習用縄跳び。
【請求項６】
前記チューブ部材は、塩化ビニール製である、
請求項１〜５のいずれか１つに記載の練習用縄跳び。
【考案の詳細な説明】
【技術分野】
【０００１】
本考案は、子供が縄跳びの基本手技を習得するのを容易にする練習用縄跳びに関する。
【背景技術】
【０００２】
縄跳びは、一般的に、所定の長さの樹脂製の１本の縄部（紐部材）と、縄部の端部のそれぞれに接続して配設される把持部と、を有して構成される。子供たちは、その縄跳びの把持部のそれぞれをその左右の手で把持し、その把持した状態で飛び跳ねながら頭部の上方または足先の下方で縄部をタイミングよくくぐらす。このようにして、子供たちは、縄跳びを回して遊ぶ。縄跳び遊びは幼少期の身体能力の向上に役立つことが広く知られている。
【０００３】
しかし、縄跳びの経験が少ない子供たちにとって、その縄跳び遊びの基本手技を習得するのは非常に困難な場合が多い。そのような子供たちは縄部を回しても遠心力を十分に発生させることが難しく、従来の縄跳びではその縄部は可撓（かとう）性が高く柔らかすぎるため、縄跳びを回すときに縄部で綺麗（きれい）な円弧を描くのは困難である。また、従来の縄跳びの縄部の紐部材は一般的に塩化ビニールなどの材質からなることが多く、その性質の多少の違いがあるもののクセが発生し易い。そのため、そのクセなどによって、縄部を回すときに頭部または足先に引っ掛かって十分な練習ができていないことがある。
【０００４】
そこで、従来の練習用縄跳びとして、合成樹脂やゴムなどを使用した長さ２ｃｍ〜６ｃｍの筒状の部品を直径１ｍｍ〜４ｍｍの紐部材に多数挿通して、縄部として使用するものが知られる（例えば、特許文献１参照）。
【先行技術文献】
【特許文献】
【０００５】
【特許文献１】特開２０１８−８１３４号公報
【考案の概要】
【考案が解決しようとする課題】
【０００６】
前記特許文献１の練習用縄跳びでは、縄部にクセがつかず、筒状部品の重さにより遠心力を利用して縄部を回す動作をサポートし、かつ筒状部品の直線があるので回す力が直接ロープ部分に伝わり易くなり、その結果、綺麗な円弧を描き易いとされる。
【０００７】
しかしながら、複数の筒状部品を取り付けるものであり、部品点数が増加しその材料費および取付作業コストなどの製造コストが上昇する可能性がある。また、縄跳びを回す力が発展途上の子供たちには十分に遠心力を発生させることができず、そのような子供たちには前記特許文献１の練習用縄跳びを練習用として適用できない可能性がある。また、複数の筒状部品を取り外して通常の構成で縄跳びをしようとしても、縄部の形状を多数の筒状部材で視認しているのでその状態での慣れがすぐには矯正できない可能性がある。前記特許文献１の練習用縄跳びは、これらの点で改善の余地があった。
【０００８】
本考案は、前述した事情に鑑みてなされたものであり、簡易な構造で、かつ縄跳びを回す力が発展途上の子供たちにとっても縄跳びの基本手技の習得を容易にするとともに、通常の縄跳びの構成への移行を円滑にすることができる練習用縄跳びを提供する。
【課題を解決するための手段】
【０００９】
本考案の前述した目的は、後記の構成により達成される。
（１）所定の長さの紐部材と、前記紐部材の端部のそれぞれに接続して配設される一対の把持部と、長尺の筒状に形成され、前記紐部材がその内部に挿通される１本のチューブ部材と、を含み、前記チューブ部材の長さは、前記紐部材よりも短く形成され、前記チューブ部材の可撓性は、前記紐部材の可撓性よりも低く設けられ、前記チューブ部材の内径は、前記紐部材の外径よりも大きく設けられる、練習用縄跳び。
（２）所定の長さの紐部材と、前記紐部材の一端部に接続して配設される把持部と、長尺の筒状に形成され、前記紐部材がその内部に挿通される１本のチューブ部材と、前記紐部材の他端部に配設され、前記チューブ部材が抜け落ちるのを防ぐ抜け防止部と、を含み、前記チューブ部材の長さは、前記紐部材よりも短く形成され、前記チューブ部材の可撓性は、前記紐部材の可撓性よりも低く設けられ、前記チューブ部材の内径は、前記紐部材の外径よりも大きく設けられる、練習用縄跳び。
（３）前記チューブ部材の長さは、６００ｍｍ以上に設けられる、（１）に記載の練習用縄跳び。
（４）前記紐部材の長さは、３５０ｍｍ以上に設けられ、前記チューブ部材の長さは、１００ｍｍ以上に設けられる、（２）に記載の練習用縄跳び。
（５）前記チューブ部材は、透明または半透明に設けられる、（１）〜（４）のいずれか１つに記載の練習用縄跳び。
（６）前記チューブ部材は、塩化ビニール製である、（１）〜（５）のいずれか１つに記載の練習用縄跳び。
【００１０】
前記（１）の構成によれば、チューブ部材の長さは、紐部材よりも短く形成され、チューブ部材の可撓性は、紐部材の可撓性よりも低く設けられ、チューブ部材の内径は、紐部材の外径よりも大きく設けられる。
前記（２）の構成によれば、チューブ部材の長さは、紐部材よりも短く形成され、チューブ部材の可撓性は、紐部材の可撓性よりも低く設けられ、チューブ部材の内径は、紐部材の外径よりも大きく設けられる。
このため、紐部材のクセの発生を抑制するとともに紐部材およびチューブ部材からなる縄部の剛性を確保することができる。これにより、縄跳びの経験が少なく縄跳びを回す力が発展途上の子供たちの場合でも、縄跳びをする際、その縄部を綺麗な形状（例えば円弧形状）で回すことができる。従って、飛び跳ねながら、縄部を頭部または足先に引っ掛けることなく回すことができ、縄部を回したり飛び跳ねたりするタイミングを効率よく習得することができる。また、チューブ部材は紐部材に１本で取り付けられるため、簡易な構造であるため部品点数が少なく、またその取付作業も容易である。また、チューブ部材を取り外すだけで通常の縄飛びとすることができる。
前記（３）の構成によれば、前記（１）の構成において、チューブ部材の長さは、紐部材よりも短く形成されかつ６００ｍｍ以上に設けられる。このため、飛び跳ねながら、縄部を頭部または足先により確かに引っ掛けることなく回すことができ、縄部を回したり飛び跳ねたりするタイミングをより一層効率よく習得することができる。
前記（４）の構成によれば、前記（２）の構成において、紐部材の長さは、３５０ｍｍ以上に設けられ、チューブ部材の長さは、紐部材よりも短く形成されかつ１００ｍｍ以上に設けられる。このため、縄部を回したり飛び跳ねたりするタイミングをより一層効率よく習得することができる。
前記（５）の構成によれば、チューブ部材は、透明または半透明に設けられる。このため、練習時に縄部の形状を透明または半透明のチューブ部材を通じて視認可能であるのでチューブ部材を取り外して通常の構成で縄跳びをした場合でも紐部材をどのような形状となるように回せばよいのか容易にイメージすることができる。その結果、通常の縄跳びの構成への移行を円滑にすることができる。
前記（６）の構成のように、チューブ部材は塩化ビニール製であるとよい。塩化ビニールは容易かつ低コストに入手できる素材である。
従って、本考案によれば、簡易な構造で、かつ縄跳びを回す力が発展途上の子供たちにとっても縄跳びの基本手技の習得を容易にするとともに、通常の縄跳びの構成への移行を円滑にすることができる。
【考案の効果】
【００１１】
本考案によれば、簡易な構造で、かつ縄跳びを回す力が発展途上の子供たちにとっても縄跳びの基本手技の習得を容易にするとともに、通常の縄跳びの構成への移行を円滑にすることができる。
【００１２】
以上、本考案について簡潔に説明した。さらに、以下に説明される考案を実施するための形態（以下「実施形態」という。）を添付の図面を参照して通読することにより、本考案の詳細はさらに明確化されるだろう。
【図面の簡単な説明】
【００１３】
【図１】図１は、本考案の実施形態に係る練習用縄跳びを説明する正面図である。
【図２】図２は、図１に示す紐部材およびチューブ部材を説明する断面図である。
【図３】図３は、本考案の実施形態に係る練習用縄跳びの変形例を説明する正面図である。
【考案を実施するための形態】
【００１４】
本考案に係る練習用縄跳びに関する実施形態について、各図を参照しながら以下に説明する。
【００１５】
ただし、必要以上に詳細な説明は省略する場合がある。例えば、すでによく知られた事項の詳細説明や実質的に同一の構成に対する重複説明を省略する場合がある。これは、以下の説明が不必要に冗長になるのを避け、当業者の理解を容易にするためである。
なお、添付図面および以下の説明は、当業者が本開示を十分に理解するために提供されるのであって、これらにより実用新案登録請求の範囲に記載の主題を限定することは意図されていない。また、添付図面のそれぞれは符号の向きに従って参照するものとする。
【００１６】
また、本考案では、可撓性は本体部の弾性変形に対する抵抗であると定義される。より本体部の可撓性があるほど、所与の撓（たわ）みを獲得するためにそこに加えられる必要のある力はより小さくなり、また剛性は可撓性の逆であるとみなされる。
【００１７】
可撓性は、所定の試験で測定され得る。本試験で可撓性が決定される試験片は、所定の距離だけ離れている２つの点状の支持体上に配置される。試験片の中心に下向きの力が加えられる。試験片の変形は、その加えられた力の影響下で、試験片の中心の運動を測定することによって測定される。この変形は、力に応じて湾曲できるようにする。すなわち、可撓性の係数は、起点における、この湾曲に対する接線の傾斜であると定義される。
【００１８】
図１および図２を参照して、本考案に係る実施形態の練習用縄跳び１０の構成について説明する。図１は、本実施形態に係る練習用縄跳び１０を説明する正面図である。図２は、図１に示す紐部材１１およびチューブ部材１３を説明する断面図である。
【００１９】
図１に示すように、練習用縄跳び１０は、所定の長さを有して長く延在する紐部材１１と、この紐部材１１の端部のそれぞれに接続して配設される一対の把持部１２と、を含んで構成される。また、練習用縄跳び１０は、長尺の筒状に形成され、紐部材１１がその内部に挿通される１本のチューブ部材１３をさらに含んで構成される。本実施形態では、いわゆる縄部は、紐部材１１およびチューブ部材１３からなることになる。子供たちなどの使用者は、縄跳びをする際、一対の把持部１２の一方を使用者の左手で握り、その他方をその右手で握って縄部を回す。
【００２０】
紐部材１１は、例えば練習用縄跳び１０の使用者が一対の把持部１２の一方を左手で握り、その他方の把持部１２を右手で握って使用者一人で縄跳びする際にその長さが好適となるように設定される。また、紐部材１１はその長さが使用者の身長などに対応して容易に調整可能に設けられる。紐部材１１の素材は、塩化ビニールなどの合成樹脂、または複数の繊維で編組されたものが使用されるがこれらに限定されず、種々の素材が適宜使用される。
【００２１】
把持部１２のそれぞれは、略円筒状に形成されており、その軸心に沿ってその基端部から先端部に向かって延在して設け、その先端部に紐部材１１の端部が取り付けられる。具体的には、把持部１２のそれぞれは、全体的に先端部側が縮径する先細りの円筒状に形成される。
【００２２】
チューブ部材１３は、その素材が塩化ビニール製であり、かつ透明または半透明に設けられる。また、本実施形態では、チューブ部材１３の長さは、紐部材１１よりも短く形成され、かつ６００ｍｍ以上に設けられる。また、チューブ部材１３の可撓性は、紐部材１１の可撓性よりも低く設けられる。つまり、チューブ部材１３は、紐部材１１よりも硬く（剛性を有して）設けられる。
【００２３】
図２に示すように、チューブ部材１３の内径は、紐部材１１の外径よりも大きく設けられる。具体的な１つの例として、紐部材１１の外径がその直径で３ｍｍであるとき、チューブ部材１３の内径は９ｍｍ程度、その外径は１０ｍｍ程度に設定される。このように設定されることで、紐部材１１とチューブ部材１３との間に間隙Ｓが形成される。
【００２４】
［本実施形態の利点について］
以上説明したように本実施形態によれば、チューブ部材１３の長さは、紐部材１１よりも短く形成され、チューブ部材１３の可撓性は、紐部材１１の可撓性よりも低く設けられ、チューブ部材１３の内径は、紐部材１１の外径よりも大きく設けられる。
【００２５】
このため、紐部材１１のクセの発生を抑制するとともに紐部材１１およびチューブ部材１３からなる縄部の剛性を確保することができる。これにより、縄跳びの経験が少なく縄跳びを回す力が発展途上の子供たちの場合でも、縄跳びをする際、その縄部を綺麗な形状（例えば円弧形状）で回すことができる。従って、飛び跳ねながら、縄部を頭部または足先に引っ掛けることなく回すことができ、縄部を回したり飛び跳ねたりするタイミングを効率よく習得することができる。また、チューブ部材１３は紐部材１１に１本で取り付けられるため、簡易な構造であるため部品点数が少なく、またその取付作業も容易である。また、チューブ部材１３を取り外すだけで通常の縄飛びとすることができる。
【００２６】
また、本実施形態によれば、チューブ部材１３の長さは、紐部材１１よりも短く形成されかつ６００ｍｍ以上に設けられる。このため、飛び跳ねながら、縄部を頭部または足先により確かに引っ掛けることなく回すことができ、縄部を回したり飛び跳ねたりするタイミングをより一層効率よく習得することができる。
【００２７】
また、本実施形態によれば、チューブ部材１３は、透明または半透明に設けられる。このため、練習時に縄部（紐部材１１）の形状を透明または半透明のチューブ部材１３を通じて視認可能であるのでチューブ部材１３を取り外して通常の構成で縄跳びをした場合でも紐部材１１をどのような形状となるように回せばよいのか容易にイメージすることができる。その結果、通常の縄跳びの構成への移行を円滑にすることができる。
【００２８】
また、本実施形態によれば、チューブ部材１３は塩化ビニール製であるとよい。塩化ビニールは容易かつ低コストに入手できる素材である。
【００２９】
このようにして、本実施形態によれば、簡易な構造で、かつ縄跳びを回す力が発展途上の子供たちにとっても縄跳びの基本手技の習得を容易にするとともに、通常の縄跳びの構成への移行を円滑にすることができる。
【００３０】
（変形例）
図３を参照して、前述した実施形態の変形例について説明する。図３は、本考案の実施形態に係る練習用縄跳び２０の変形例を説明する正面図である。
なお、前述の実施形態と同一または同等部分については、文中または図面に同一あるいは同等符号を付してその説明を省略あるいは簡略化する。
【００３１】
図３に示すように、紐部材２１の両端部のうち把持部２２が接続されるのはその一端部２１Ａのみである。その他端部２１Ｂにはチューブ部材２３が抜け落ちるのを防ぐ抜け防止部２４が配設される。具体的には、抜け防止部２４の一例として、紐部材２１にチューブ部材２３が挿通された状態で、その他端部２１Ｂがひと結びされてそのひと結びがチューブ部材２３が抜け落ちるのを防止する。
【００３２】
また、紐部材２１の長さは、前述の実施形態の紐部材（１１）と比較して半分以下に短く形成される。また、前述の実施形態と同様に、チューブ部材２３の長さは、当該紐部材２１よりも短く形成されており、具体的には本変形例では紐部材２１の長さは３５０ｍｍ以上、チューブ部材２３の長さは１００ｍｍ以上に設けられる。
【００３３】
本変形の練習用縄跳び２０は縄跳びの経験が全くないなどの初心者向けのものであり、前述の実施形態の練習用縄跳び（１０）の前段階の練習で使用されるとよい。この練習の際、本変形例の練習用縄跳び２０が一対用意されて、使用者はその両手でそれぞれを握って、それぞれの紐部材２１およびチューブ部材２３からなる縄部を実際の縄跳びを想像しながら回す。また、本変形例ではチューブ部材２３が把持部２２を握って回すときの適度な重りとなり、縄跳びを回す練習（スナップの練習）として好適である。
【００３４】
本変形例によれば、紐部材２１の長さは、３５０ｍｍ以上に設けられ、チューブ部材２３の長さは、１００ｍｍ以上に設けられる。このため、縄部を回したり飛び跳ねたりするタイミングをより一層効率よく習得することができる。
その他の構成および作用は、前述した実施形態の場合と同様である。
【００３５】
以上、図面を参照しながら具体的実施形態について説明したが、本開示はかかる例に限定されないことはいうまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、考案の趣旨を逸脱しない範囲において、上述した実施形態における各構成要素を任意に組み合わせてもよい。
【産業上の利用可能性】
【００３６】
本考案は、簡易な構造で、かつ縄跳びを回す力が発展途上の子供たちにとっても縄跳びの基本手技の習得を容易にするとともに、通常の縄跳びの構成への移行を円滑にすることができる練習用縄跳びとして有用である。
【符号の説明】
【００３７】
１０，２０        ：練習用縄跳び
１１，２１        ：紐部材
１１Ａ，２１Ａ    ：一端部
１１Ｂ，２１Ｂ    ：他端部
１２，２２        ：把持部
１３，２３        ：チューブ部材
２４              ：抜け防止部
Ｓ                ：間隙
【図１】
0003231890.tif 000003
【図２】
0003231890.tif 000004
【図３】
0003231890.tif 000005